(57)【要約】      （修正有）【課題】土留めユニットを路盤面より下方に設置する場合において、土留めユニットの吊り治具のフックの一部が路盤の掘削溝巾面、特にその固い部分に当たるのを防ぎ、土留めユニットの設置及び吊り治具への吊りフックの装入・取り外しを容易にする。【解決手段】土留めユニットの各々の縦梁の上端に、下方が縦梁に固定される縦梁固定部９と、該固定部９の上方に傾斜した吊りフック係合部８からなる吊り治具１４を、前記傾斜面が互いに内方に位置するように係合する。【選択図】  図４
2004257148.tif 000002
【特許請求の範囲】
【請求項１】
掘削溝側壁の土砂の崩壊を防止する縦梁、パネル及びジャッキからなる土留めユニットを溝内に建て込むに際し、該土留めユニットを路盤面より低くして敷設する工法において、
２本の縦梁間に取り付けたパネルを１対対向し、この１対のパネルの縦梁をジャッキで連結して土留めユニットとし、この土留めユニットを溝の外部で組み立てて、
前記各々の縦梁の上端に、下方が縦梁に固定される縦梁固定部と、該固定部の上方に傾斜した吊りフック係合部からなる吊り治具を前記傾斜面が互いに内方に位置するように係合し、
次いで、各吊り治具に土留めユニット吊り上げ用吊りフックを取り付けて、吊り上げ、
掘削溝に前記土留めユニットを建て込んで、パネル上端が路盤面より下方に位置するように配置し、
しかる後に、吊りフックを土留めユニットから取り外すことを特徴とする土留めユニットの敷設工法。
【請求項２】
吊り治具の上端が路盤面よりさらに下方に位置するように、土留めユニットを敷設することを特徴とする請求項１記載の土留めユニットの敷設工法。
【請求項３】
縦梁、パネル及びジャッキからなる土留めユニットにおいて、
２本の縦梁間に取り付けたパネルを１対対向し、この１対のパネルの縦梁をジャッキで連結した土留めユニットの前記各々の縦梁の上端に、下方が縦梁に固定される縦梁固定部と、該固定部の上方に傾斜した吊りフック係合部からなる吊り治具を前記傾斜面が互いに内方に位置するように係合してなる土留めユニット。
【請求項４】
前記吊り治具の固定部が、垂直な平板であり、前記吊りフック係合部に吊りフック用係合孔を有することを特徴とする請求項３記載の土留めユニット。
【請求項５】
前記吊り治具の中間部に落下防止突起をそなえていることを特徴とする請求項３又は４記載の土留めユニット。
【請求項６】
前記固定部が二股となっていることを特徴とする請求項３記載の土留めユニット。
【発明の詳細な説明】
【０００１】
【発明の属する技術分野】
本発明は、下水道管などを埋設するに際し、掘削した溝壁の土砂の崩壊を防止するために、掘削した溝の両面に打ち込む掘削溝用土留めユニットの敷設工法及び土留めユニットに関する。
【０００２】
【従来の技術】
図１（ａ）に示すように、溝掘削工事において、掘削溝Ａの外部で一対の、２本の縦梁１とこの縦梁１の間にあって上下を横フレームで支持されたパネル２をジャッキ３で組立てて土留めユニット４を用意し、これを掘削巾（カッターライン）内に建て込み、掘削溝内に埋設管を設置し、土留めユニットを引き抜く時、従来は縦梁１の上端に直の形の吊り治具５を取り付けていた。６ａは吊りフック用係合孔、７は吊り治具固定ピンである。
図１（ｂ）は、図１（ａ）に示す、縦梁１の上端に従来の直の形の吊り治具５を取り付けた部分の拡大説明図である。
図２（ａ）は、真っ直ぐで曲がっていない従来の直の形の吊り治具５の例である。８は吊りフック係合部、９は縦梁固定部、７ａは吊り治具固定ピンの係止孔であり、１０は吊り治具５の落下を防止するための落下防止突起である。
図２（ｂ）に示すように、従来の直の形の吊り治具５に土留めユニット吊り上げ用吊りフック６を取り付け及び／又は取り外ししたり、土留めユニットを掘削溝に設置する場合、パネルの縦梁１に取り付けた直の形の吊り治具５が地盤（路盤）１１の表面１１ｂより上がっている場合は、吊りフック６の先端が路盤１１の掘削溝巾面１１ａに当たらないので、設置又は取り付け及び／又は取り外しができる。１２は掘削溝巾面の位置、１３は土留めユニット吊り上げ用ワイヤーである。
図２（ｃ）に示すように、パネルの縦梁１に取り付けた直の形の吊り治具５が路盤１１の表面１１ｂより下がっている場合は、吊りフック６の先端が路盤１１の掘削溝巾面１１ａに当たるので、土留めユニットを掘削溝に設置したり、吊りフック６を吊り治具５の吊りフック用係合孔６ａに取り付け及び／又は取り外しするためには、吊りフック６が当たる路盤１１の掘削溝巾面１１ａを削らなくてはならなかった。削る部分がアスファルト等の固い地盤であるときは、作業効率が悪化し、また掘削溝内に人が入ってこれを削ることは、危険な作業である。
従来のパネルは、土留め板１の上端に直の形の吊り具９を固着している（例えば、特許文献１参照。）。
また、従来のパネルには、土留め板５を持ち運びするために土留め板５にひも８が取り付けてある（例えば、特許文献２参照。）。
。
これらは、本願の図１に示すパネルの縦梁１に取り外し可能に設置する従来の吊り治具５とは構成が異なる。
また、従来の技術文献には、コンクリートブロックの吊り下げ移動方法が開示されている（例えば、特許文献３参照。）。しかし、コンクリートブロックは通常吊るだけで、掘削溝の中でワイヤを掛けることが問題となることは無い。即ち、特許文献３の図１（Ａ）〜（Ｄ）に示すように、孔部２０は水平よりも上向きに傾斜した状態に穿設して、これに装着するスリーブ１０及び軸体１２は水平よりも下向きに傾斜した状態とするが、これは玉掛けワイヤ２２が外れにくいようにするためであり、且つ、吊り下げ金具である軸体１２自体は直である。これは、縦梁固定部とその上方に傾斜した吊りフック係合部からなる吊り治具を、傾斜面が互いに内方に位置するように係合してなる本願の土留めユニットとは、技術・構成が異なる。
【０００３】
【特許文献１】
特開平８−３０２６９１号公報（第２頁、第１図及び第２図）
【特許文献２】
特開平１−１０２１２３号公報（第２頁、第１図）
【特許文献３】
特開平７−９１０６９号公報（第３頁、第１図）
【０００４】
【発明が解決しようとする課題】
土留めユニットを路盤面より下方に設置及び撤去する場合において、吊り治具のフックの一部が路盤の掘削溝巾面、特にその固い部分に当たるのを防ぎ、土留めユニットの設置及び土留めユニット上端に取付けていた吊り治具への吊りフックの取り付け及び／又は取り外しを容易にし、作業効率を高め且つ作業の安全を図ることのできる土留めユニットを構成することを目的とする。
【０００５】
【課題を解決するための手段】
本発明は、上記の技術的課題を解決するものであり、その要旨とするところは以下の通りである。
【０００６】
（１）掘削溝側壁の土砂の崩壊を防止する縦梁、パネル及びジャッキからなる土留めユニットを溝内に建て込むに際し、該土留めユニットを路盤面より低くして敷設する工法において、
２本の縦梁間に取り付けたパネルを１対対向し、この１対のパネルの縦梁をジャッキで連結して土留めユニットとし、この土留めユニットを溝の外部で組み立てて、
前記各々の縦梁の上端に、下方が縦梁に固定される縦梁固定部と、該固定部の上方に傾斜した吊りフック係合部からなる吊り治具を前記傾斜面が互いに内方に位置するように係合し、
次いで、各吊り治具に土留めユニット吊り上げ用吊りフックを取り付けて、吊り上げ、
掘削溝に前記土留めユニットを建て込んで、パネル上端が路盤面より下方に位置するように配置し、
しかる後に、吊りフックを土留めユニットから取り外すことを特徴とする土留めユニットの敷設工法。
【０００７】
（２）吊り治具の上端が路盤面よりさらに下方に位置するように、土留めユニットを敷設することを特徴とする上記（１）記載の土留めユニットの敷設工法。
【０００８】
（３）縦梁、パネル及びジャッキからなる土留めユニットにおいて、
２本の縦梁間に取り付けたパネルを１対対向し、この１対のパネルの縦梁をジャッキで連結した土留めユニットの前記各々の縦梁の上端に、下方が縦梁に固定される縦梁固定部と、該固定部の上方に傾斜した吊りフック係合部からなる吊り治具を前記傾斜面が互いに内方に位置するように係合してなる土留めユニット。
【０００９】
（４）前記吊り治具の固定部が、垂直な平板であり、前記吊りフック係合部に吊りフック用係合孔を有することを特徴とする上記（３）記載の土留めユニット。
【００１０】
（５）前記吊り治具の中間部に落下防止突起をそなえていることを特徴とする上記（３）又は（４）記載の土留めユニット。
【００１１】
（６）前記固定部が二股となっていることを特徴とする上記（３）記載の土留めユニット。
【００１２】
【作用】
土留めユニットを路盤面より下方に設置する場合において、パネルの縦梁上端に取り付けていた直の形の吊り治具を掘削溝側に傾斜することによって、吊り治具のフックの先端部分が路盤の掘削溝巾面、特にその固い部分に当たるのを防ぎ、土留めユニットの設置を容易にする。直の形の吊り治具を内側に曲げることで、吊りフックを掛けた時、吊りフックの全てが掘削巾より内側に位置することになり、吊りフックが路盤の掘削溝巾面に当たることなく吊り治具への吊りフックの取り付け及び／又は取り外しができる。
【００１３】
【発明の実施の形態】
図３（ａ）は、本発明の土留めユニットの鉄製の角度付吊り治具１４の一例であって、吊りフック係合部８が縦梁内に装入する縦梁固定部９に対して３０°傾斜している例である。６ａは吊りフック用係合孔、７ａは吊り治具固定ピンの係止孔、１０は落下防止突起である。材料は金属等強度が有るものであればよい。
図３（ｂ）は、図３（ａ）に示す本発明の土留めユニットの角度付吊り治具１４を縦梁１の上端に固定した例である。角度付吊り治具１４は、吊り治具ピン７によって縦梁１に固定されている。
【００１４】
図４は、図３（ｂ）に示す本発明の土留めユニットの角度付吊り治具１４に土留めユニット吊り上げ用吊りフック６を係合した実施例の側面説明図である。
先ず、角度付吊り治具１４を縦梁１の上端に取り付ける。即ち、縦梁固定部９を縦梁１枠内に装入し、吊りフック用係合部８を縦梁１から突出させた状態で、縦梁１の梁枠上端（溝側側部１ａ）に落下防止突起１０を引っ掛けて本発明の土留めユニットの角度付吊り治具１４の落下を防止しすると共に、吊り治具固定ピン７を縦梁１枠の溝側側部１ａに設けた吊り治具固定ピンの係止孔７ａ及び縦梁１枠の壁側側部１ｂに設けた吊り治具固定ピンの係止孔７ａにそれぞれ通して、縦梁固定部９を縦梁１に固定する。吊りフック用係合部８は、路盤１１の掘削溝巾面１１ａに対して３０°くの字状に傾斜している。１５及び１６は、縦梁固定部９と縦梁１との隙間を埋めて固定を補強するための補助板である。１７は縦梁１とジャキ３を連結するコネクターである。
次に、吊りフック用係合孔６ａに吊りフック６の先端を通して、角度付吊り治具１４に吊りフック６を掛ける。１８は、掛けた吊りフック６が角度付吊り治具１４から外れるのを防止する外れ防止ピンである。
【００１５】
図４に示すように、土留めユニットは、路盤１１の固い部分である掘削溝巾面１１ａに当たらないで設置された。また、吊り治具１４に装入・係合した吊りフック６は、掘削溝巾面１１ａに当たらないで取り外すことが出来た。
【００１６】
図５は、本発明の土留めユニットの鉄製の角度付吊り治具１４の他の例であって、吊りフック係合部８が、縦梁１の梁枠の溝側側部１ａの上端を挟む形で装着する二股の縦梁固定部９、９′に対して傾斜している例である。二股により落下は防止される。６ａは吊りフック用係合孔、７ａ、７ａ′は吊り治具固定ピンの係止孔である。
【００１７】
【発明の効果】
本発明によれば、土留めユニットを路盤面より下方に設置する場合において、吊り治具のフックの先端部分が路盤の掘削溝巾面、特にその固い部分に当たるのを防ぎ、土留めユニットの縦梁上端に取り付けていた吊り治具への吊りフックの取り付け及び／又は取り外しを容易にし、作業効率を高め且つ作業の安全を図ることが出来る。
【図面の簡単な説明】
【図１】（ａ）は、従来の土留めユニットの吊り治具を取り付けた土留めユニットの構造の例を示す斜視図である。
（ｂ）は、図１（ａ）の部分拡大説明図である。
【図２】（ａ）は、従来の土留めユニットの吊り治具の構造の例を示す斜視図である。
（ｂ）は、掘削溝の長手方向から見た従来の土留めユニットの吊り治具の使用例を示す説明図である。
（ｃ）は、掘削溝の長手方向から見た従来の土留めユニットの吊り治具の使用例の問題点を示す説明図である。
【図３】（ａ）は、本発明の土留めユニットの角度付吊り治具の構造の一例を示す斜視図である。
（ｂ）は、図３（ａ）に示す本発明の土留めユニットの角度付吊り治具を縦梁に固定した本発明の実施例を示す斜視図である。
【図４】掘削溝の長手方向から見た本発明の土留めユニットの角度付吊り治具の実施例を示す側面説明図である。
【図５】本発明の土留めユニットの角度付吊り治具の構造の他の例を示す斜視図である。
【符号の説明】
１      縦梁
１ａ    縦梁１の梁枠の溝側側部
１ｂ    縦梁１の梁枠の壁側側部
２      パネル
３      ジャッキ
４      土留めユニット
５      従来の土留めユニットの直の形の吊り治具
６      土留めユニット吊り上げ用吊りフック
６ａ    吊りフック用係合孔
７      吊り治具固定ピン
７ａ    吊り治具固定ピンの係止孔
７ａ′  吊り治具固定ピンの係止孔
８      吊りフック係合部
９      縦梁固定部
９′    縦梁固定部
１０    落下防止突起
１１    路盤
１１ａ  路盤１０の掘削溝巾面
１１ｂ  路盤１０の表面
１２    掘削溝巾面の位置
１３    土留めユニット吊り上げ用ワイヤー
１４    本発明の土留めユニットの角度付吊り治具
１５    補助板
１６    補助板
１７    コネクター
１８    外れ防止ピン
【図１】
2004257148.tif 000003
【図２】
2004257148.tif 000004
【図３】
2004257148.tif 000005
【図４】
2004257148.tif 000006
【図５】
2004257148.tif 000007